(57)【要約】【課題】寝具本体のカバーリングを容易に行うことができると共に、快適な寝心地を提供することができる寝具を提案する。【解決手段】一実施形態に係る掛け布団１は、下面１０ａ、及び下面１０ａの反対側に設けられる上面１０ｂを有する掛け布団本体１０と、下面１０ａの少なくとも一部、及び上面１０ｂの少なくとも一部を覆う布製のカバー２０と、を備え、掛け布団本体１０の下面１０ａ及び上面１０ｂの少なくとも一方には、面状の接合部材３１ａ，３１ｂ，３１ｃ，３１ｄが固定されており、カバー２０には、接合部材３１ａ，３１ｂ，３１ｃ，３１ｄに貼り合わされて接合される面状の接合部材３２ａ，３２ｂ，３２ｃ，３２ｄが固定されている。【選択図】図１
2018187072.tif 000002
【特許請求の範囲】
【請求項１】
第１面、及び前記第１面の反対側に向けられる第２面を有する寝具本体と、
前記第１面の少なくとも一部、及び前記第２面の少なくとも一部を覆う布製の被覆部材と、
を備え、
前記寝具本体の前記第１面及び前記第２面の少なくとも一方には、面状の第１接合部材が固定されており、
前記被覆部材には、前記第１接合部材に貼り合されて接合される面状の第２接合部材が固定されている、
寝具。
【請求項２】
１枚の前記被覆部材が、前記第１面を覆うと共に、前記第１面の端部で折り返されて前記第２面の一部を覆う、
請求項１に記載の寝具。
【請求項３】
２枚の前記被覆部材を備え、
一の前記被覆部材が前記第１面を覆うと共に、他の前記被覆部材が前記第２面を覆う、
請求項１又は２に記載の寝具。
【請求項４】
前記第１接合部材は、前記第１接合部材の厚さ方向に突出する複数の第１パイル部を有し、
前記第２接合部材は、前記第２接合部材の厚さ方向に突出する複数の第２パイル部を有し、
前記第１パイル部の配置間隔と、前記第２パイル部の配置間隔とは互いに異なっており、
前記第２接合部材は、複数の前記第２パイル部が複数の前記第１パイル部に引っ掛かって絡まることにより、前記第１接合部材に面接合する、
請求項１〜３のいずれか一項に記載の寝具。
【発明の詳細な説明】
【技術分野】
【０００１】
本発明は、寝具本体、及び寝具本体を被覆する被覆部材を備えた寝具に関する。
【背景技術】
【０００２】
心地よい睡眠が得られるように、寝具の形状を変更したり寝具の素材を変更したりすることは従来から行われている。寝具の形状、大きさ及び素材を適切に調整することは、快適な睡眠を得るための重要なファクターの一つとなりうる。様々な工夫を凝らした寝具を提供することにより、寝具の使用者に快適な睡眠を提供することができ、睡眠環境の向上につなげることが可能となる。
【０００３】
特開２０１３−１４４０９０号公報には、快眠寝具が記載されている。この快眠寝具は、使用者に接触する快眠布と、快眠布の表側に設けられる快眠布団とを備えており、快眠布の上に快眠布団が被せられることによって使用される。快眠布及び快眠布団のそれぞれには、複数の接合可能生地が固定されており、この接合可能生地は、快眠布及び快眠布団それぞれの四隅及び長辺部分に設けられる。快眠布団に固定された各接合可能生地と、快眠布に固定された各接合可能生地とが接合されることにより、快眠布に対する快眠布団のずれが抑制される。
【先行技術文献】
【特許文献】
【０００４】
【特許文献１】特開２０１３−１４４０９０号公報
【発明の概要】
【発明が解決しようとする課題】
【０００５】
ところで、寝具では、寝具本体の汚れを防止するために、寝具本体がカバーに収容されて使用される。カバーには、掛け布団カバー、敷き布団カバー及び枕カバー等が含まれる。これらのカバーは、寝具全体を包むものが多い。例えば、掛け布団カバーの場合には、掛け布団本体を掛け布団カバーの中で押し込むことにより、掛け布団本体の位置及び形状を手で整える必要がある。このように寝具本体をカバーリングする作業は、寝具本体をカバーの中に手で押し込みながら行わなければならないので、面倒であり時間がかかるという問題がある。
【０００６】
また、前述したカバーで寝具本体をカバーリングする場合には、寝具本体を収容した後に、ファスナー、ボタン又は紐でカバーの口を閉じる作業が必要である。ファスナーでカバーの口を閉じる場合、ファスナーは金属製又は樹脂製であることが多いため、寝具の使用時にファスナーが使用者の身体に当たり、これにより寝心地を損なう懸念がある。ボタンについても、硬いボタンが使用者の身体に当たることにより寝心地を損なう懸念がある。また、紐でカバーの口を閉じる場合にも縛られた紐が使用者の身体に当たることにより寝心地を損なう懸念があり、更に、紐を縛る作業が面倒であるという問題もある。
【０００７】
本発明は、寝具本体のカバーリングを容易に行うことができると共に、快適な寝心地を提供することができる寝具を提案することを目的とする。
【課題を解決するための手段】
【０００８】
本発明の一側面に係る寝具は、第１面、及び第１面の反対側に向けられる第２面を有する寝具本体と、第１面の少なくとも一部、及び第２面の少なくとも一部を覆う布製の被覆部材と、を備え、寝具本体の第１面及び第２面の少なくとも一方には、面状の第１接合部材が固定されており、被覆部材には、第１接合部材に貼り合されて接合される面状の第２接合部材が固定されている。
【０００９】
この寝具は、第１面、及び第１面の反対側を向く第２面の少なくとも一方に固定された面状の第１接合部材を有する寝具本体と、第１面の少なくとも一部、及び第２面の少なくとも一部を覆う布製の被覆部材とを備える。被覆部材には、第１接合部材に貼り合わされて接合される面状の第２接合部材が固定されている。よって、被覆部材で第１面の少なくとも一部と第２面の少なくとも一部とを覆った状態で第１接合部材に第２接合部材を貼り合わせることにより、寝具本体を被覆部材でカバーリングすることができる。従って、寝具本体を貼り合わせによって被覆することができるので、寝具本体の全体を包むカバーと比較してカバーリングを容易に行うことができる。すなわち、この寝具では、寝具本体をカバーの中に押し込んだり、寝具本体の位置及び形状を手で整えたりする作業を行わずにカバーリングを行うことができるので、カバーリングを短時間で効率よく行うことができる。また、この寝具では、第１接合部材に第２接合部材を貼り合わせて寝具本体のカバーリングを行うので、前述したファスナー、ボタン及び紐を不要とすることができる。従って、ファスナー、ボタン又は紐が使用者の身体に当たるのを回避することができるため、使用者に快適な寝心地を提供することができる。
【００１０】
また、１枚の被覆部材が、第１面を覆うと共に、第１面の端部で折り返されて第２面の一部を覆ってもよい。この場合、１枚の被覆部材で寝具本体の両面を覆うことができる。従って、１枚の被覆部材で寝具本体のカバーリングを容易に行うことができる。
【００１１】
また、前述した寝具は、２枚の被覆部材を備え、一の被覆部材が第１面を覆うと共に、他の被覆部材が第２面を覆ってもよい。この場合、２枚の被覆部材によって寝具本体の両面を覆うことができる。また、各第１接合部材に各第２接合部材を接合させることにより、寝具本体に対する被覆部材の貼り付けを行うことができるので、寝具本体の両面に被覆部材を接合させる作業を容易に行うことができる。
【００１２】
また、第１接合部材は、第１接合部材の厚さ方向に突出する複数の第１パイル部を有し、第２接合部材は、第２接合部材の厚さ方向に突出する複数の第２パイル部を有し、第１パイル部の配置間隔と、第２パイル部の配置間隔とは互いに異なっており、第２接合部材は、複数の第２パイル部が複数の第１パイル部に引っ掛かって絡まることにより、第１接合部材に面接合してもよい。この場合、複数の第２パイル部と複数の第１パイル部とが互いに引っ掛かって絡まることによって第２接合部材が第１接合部材に面接合するので、第１接合部材への第２接合部材の接合を容易且つ強固に行うことができる。従って、寝具本体に対する被覆部材のずれを一層確実に抑制することができるので、更なる寝心地の向上に寄与する。
【発明の効果】
【００１３】
本発明によれば、寝具本体のカバーリングを容易に行うことができると共に、快適な寝心地を提供することができる。
【図面の簡単な説明】
【００１４】
【図１】第１実施形態に係る寝具を示す縦断面図である。
【図２】（ａ）は、図１の寝具の寝具本体を示す平面図である。（ｂ）は、図１の寝具の被覆部材を示す平面図である。
【図３】寝具本体の第１接合部材、及び被覆部材の第２接合部材を示す側面図である。
【図４】第１接合部材の第１パイル部、及び第２接合部材の第２パイル部を示す図である。
【図５】（ａ）は、第２実施形態に係る寝具の寝具本体を示す平面図である。（ｂ）は、（ａ）の寝具の被覆部材を示す平面図である。
【図６】第３実施形態に係る寝具の被覆部材を示す斜視図である。
【図７】（ａ）は、第４実施形態に係る寝具の寝具本体を示す平面図である。（ｂ）は、（ａ）の寝具の被覆部材を示す平面図である。
【発明を実施するための形態】
【００１５】
以下では、図面を参照しながら本発明に係る寝具の実施形態について説明する。図面の説明において、同一又は相当する要素には同一の符号を付し、重複する説明を適宜省略する。
【００１６】
（第１実施形態）
図１は、第１実施形態に係る寝具を示す縦断面図である。図２（ａ）は、図１の寝具の寝具本体を示す平面図である。図２（ｂ）は、図１の寝具の被覆部材を示す平面図である。本明細書において、「寝具」とは、寝具の使用者が身体を休めたり睡眠をとったりするときに使用者の身体に当てられるものであり、典型的には、布団、枕、座布団、又はクッションである。本実施形態では、寝具が掛け布団１である例について説明する。
【００１７】
また、「寝具本体」は、寝具の形状を維持する寝具の本体部分を示しており、典型的には、寝具のカバー以外の部分である。「面状」とは、二次元的に延在する状態を示しており、肌触りを妨げる程度に突出又は窪んでいない状態を示している。「面接合」とは、接合部分が面状となるように接合する状態を示している。「被覆」及び「覆う」は、物の全体を覆う場合、及び物の一部を覆う場合、の両方を含む。「被覆部材」は、被覆を行う物及び部分を含み、典型的には、カバー又はシーツである。「パイル部」は、布地から輪状に突出する糸の集合体を示している。
【００１８】
図１及び図２に示されるように、掛け布団１は、掛け布団本体１０と、掛け布団本体１０を被覆する布製のカバー２０とを備える。図１の左側は掛け布団１が掛けられる使用者の頭部側を示しており、図１の右側は掛け布団１が掛けられる使用者の足側を示している。以下では、図１の左側を「頭部側」、図１の右側を「足側」とする。
【００１９】
掛け布団１は、全体として長方形状を呈する。一例として、掛け布団１は、羽毛布団であり、敷き布団の上に載せられて使用者の身体に掛けられることにより使用される。掛け布団本体１０は、掛け布団本体１０の中身を構成する内容物１１と、内容物１１を収容する袋状の布部１２とを備える。
【００２０】
内容物１１は、布部１２によって形成された内部空間Ｓに充填されている。内容物１１は、例えば、羽毛（羽根）であり、この場合、膨らんだ羽毛の中に熱を閉じ込めることが可能となり高い保温性を発揮する。また、内部空間Ｓは、例えば、縦横に延びるマチ部によって仕切られていてもよい。
【００２１】
カバー２０は、例えば、一枚の薄い布状とされている。カバー２０は、掛け布団本体１０の下面１０ａ（第１面）の全体と、掛け布団本体１０の上面１０ｂ（第２面）の一部を覆っている。カバー２０の幅方向（図１の紙面の直交方向）の長さは、例えば、掛け布団本体１０の幅方向の長さと同一である。掛け布団本体１０を被覆していない状態において、カバー２０の長手方向の長さは、掛け布団本体１０の長手方向の長さよりも長い。
【００２２】
カバー２０は、その長手方向の端部に位置する仮想の折り返し線Ｌに沿って折り返される。カバー２０は、折り返し線Ｌに沿って折り返されて上面１０ｂの一部を覆う。具体的には、カバー２０は、下面１０ａの全体を覆うと共に、下面１０ａの頭部側で上方且つ足側に折り返され、上面１０ｂの頭部側の一部を覆っている。
【００２３】
カバー２０は、掛け布団本体１０の下面１０ａの全体を覆っているが、上面１０ｂの全体を覆っていない。上面１０ｂにおいて、カバー２０は、上面１０ｂの頭部側のみを覆っている。また、カバー２０は、掛け布団本体１０の側面（下面１０ａ及び上面１０ｂ以外の面）を覆っていない。上面１０ｂを覆う部分のカバー２０の形状は、掛け布団１の幅方向に長く延びる長方形状とされている。
【００２４】
掛け布団本体１０を被覆した状態において、カバー２０は、カバー２０の第２接合部材３２が掛け布団本体１０の第１接合部材３１に接合された状態で掛け布団本体１０を被覆する。第１接合部材３１は、足側接合部材３１ａ、中央接合部材３１ｂ、頭部側接合部材３１ｃ及び上側接合部材３１ｄを含む。また、第２接合部材３２は、足側接合部材３２ａ、中央接合部材３２ｂ、頭部側接合部材３２ｃ及び上側接合部材３２ｄを含む。例えば、掛け布団１は、第１接合部材３１及び第２接合部材３２を備えると共に、ファスナー、ボタン及び紐のいずれも有しない。
【００２５】
足側接合部材３１ａ，３２ａは掛け布団１の足側で接合を行い、中央接合部材３１ｂ，３２ｂは掛け布団１の長手方向の中央部分で接合を行い、頭部側接合部材３１ｃ，３２ｃは掛け布団１の頭部側で接合を行い、上側接合部材３１ｄ，３２ｄは掛け布団１の上側で接合を行う。このように足側接合部材３１ａ，３２ａ、中央接合部材３１ｂ，３２ｂ、頭部側接合部材３１ｃ，３２ｃ及び上側接合部材３１ｄ，３２ｄが接合を行うことにより、掛け布団本体１０に対するカバー２０のずれが抑制される。
【００２６】
足側接合部材３１ａ，３２ａ、中央接合部材３１ｂ，３２ｂ、頭部側接合部材３１ｃ，３２ｃ及び上側接合部材３１ｄ，３２ｄのそれぞれは、掛け布団本体１０及びカバー２０のそれぞれに固定されている。第１接合部材３１及び第２接合部材３２は、例えば、縫製によって固定されている。但し、この固定手段は、溶着等であってもよく、適宜変更可能である。
【００２７】
掛け布団本体１０において、足側接合部材３１ａ、中央接合部材３１ｂ及び頭部側接合部材３１ｃは下面１０ａに固定されており、上側接合部材３１ｄは上面１０ｂに固定されている。足側接合部材３１ａは、掛け布団本体１０の長手方向の端部において、掛け布団本体１０の幅方向の全体にわたって延在している。足側接合部材３１ａの幅は、例えば、５ｃｍ以上且つ２０ｃｍ以下であり、具体例として１０ｃｍである。
【００２８】
中央接合部材３１ｂは、掛け布団本体１０の幅方向の一端及び他端のそれぞれに固定されている。中央接合部材３１ｂは、所定長さだけ掛け布団本体１０の長手方向に延在している。中央接合部材３１ｂの長さは、例えば、３０ｃｍ以上且つ７０ｃｍ以下であり、具体例として５０ｃｍである。
【００２９】
一例として、中央接合部材３１ｂの長手方向の中央位置は、掛け布団本体１０の長手方向の中央位置と一致しており、中央接合部材３１ｂは、当該中央位置から頭部側及び足側のそれぞれに２５ｃｍずつ延びている。中央接合部材３１ｂの幅は、足側接合部材３１ａの幅と同一であってもよい。
【００３０】
頭部側接合部材３１ｃは、掛け布団本体１０の長手方向の端部に固定されており、掛け布団本体１０の幅方向の全体にわたって延びている。なお、頭部側接合部材３１ｃは、掛け布団本体１０の幅方向の端部のみに設けられていてもよい。この場合、頭部側接合部材３１ｃが使用者の襟元に接触しにくくなるので、更なる寝心地の向上に寄与する。
【００３１】
上側接合部材３１ｄは、掛け布団本体１０の長手方向の端部から所定長さだけ足側に設けられており、掛け布団本体１０の幅方向の全体にわたって延びている。頭部側接合部材３１ｃの幅、及び上側接合部材３１ｄの幅は、足側接合部材３１ａの幅と同一であってもよい。
【００３２】
カバー２０において、足側接合部材３２ａ、中央接合部材３２ｂ、頭部側接合部材３２ｃ及び上側接合部材３２ｄは、全て同一の面（掛け布団本体１０に対向する面）に固定されている。足側接合部材３２ａ及び中央接合部材３２ｂの配置は、例えば、足側接合部材３１ａ及び中央接合部材３１ｂの配置と同様である。頭部側接合部材３２ｃの配置は、頭部側接合部材３１ｃの配置とは異なっている。
【００３３】
カバー２０の頭部側接合部材３２ｃは、カバー２０の幅方向の両端それぞれに設けられる端部側接合部材３２ｅと、カバー２０の幅方向の中央に設けられる中央側接合部材３２ｆとを含んでいる。なお、中央側接合部材３２ｆは省略してもよい。この場合、中央側接合部材３２ｆが使用者の襟元に接触することがなくなるので、更なる寝心地の向上に寄与する。
【００３４】
例えば、端部側接合部材３２ｅは、カバー２０の長辺及び折り返し線Ｌの交差部分に直角部分が位置する直角三角形状を呈する。端部側接合部材３２ｅの底辺及び高さは、例えば、１０ｃｍ以上且つ２０ｃｍ以下であり、具体例として１５ｃｍである。中央側接合部材３２ｆは、カバー２０の幅方向に所定長さだけ延びている。中央側接合部材３２ｆの長さは、例えば、２０ｃｍ以上且つ４０ｃｍ以下であり、具体例として３０ｃｍである。
【００３５】
中央側接合部材３２ｆの幅は、例えば、頭部側接合部材３１ｃの幅と同一である。上側接合部材３２ｄは、カバー２０の長手方向の端部に設けられており、カバー２０の幅方向の全体にわたって延びている。上側接合部材３２ｄの幅は、例えば、上側接合部材３１ｄの幅と同一である。
【００３６】
足側接合部材３１ａ、中央接合部材３１ｂ、頭部側接合部材３１ｃ及び上側接合部材３１ｄは、それぞれ、足側接合部材３２ａ、中央接合部材３２ｂ、頭部側接合部材３２ｃ及び上側接合部材３２ｄに接合される。各第１接合部材３１に各第２接合部材３２が接合することにより、掛け布団本体１０にカバー２０が接合される。
【００３７】
図３に示されるように、第１接合部材３１は掛け布団本体１０に固定されており、第２接合部材３２はカバー２０に固定されている。図３では、中央接合部材３１ｂ，３２ｂを例示しているが、足側接合部材３１ａ，３２ａ、頭部側接合部材３１ｃ，３２ｃ及び上側接合部材３１ｄ，３２ｄにおいても同様の接合がなされている。
【００３８】
第１接合部材３１及び第２接合部材３２は、掛け布団本体１０及びカバー２０のそれぞれにおいて面状に固定されており、肌触りを妨げる程度の凹凸を有しない形状とされている。例えば、第１接合部材３１の色彩及び第２接合部材３２の色彩は、互いに異なっており、これにより第１接合部材３１と第２接合部材３２を簡単に識別することが可能である。
【００３９】
図３及び図４に示されるように、掛け布団本体１０に固定された第１接合部材３１、及びカバー２０に固定された第２接合部材３２は、それぞれ、輪状に突出する複数のパイル部３１ｐ，３２ｐを有する。第１パイル部３１ｐ及び第２パイル部３２ｐは、共に、柔軟性が高い糸の集合体によって構成されている。第１接合部材３１に設けられた複数の第１パイル部３１ｐと、第２接合部材３２に設けられた複数の第２パイル部３２ｐと、は粗さ及び配置間隔が互いに異なっている。
【００４０】
具体的には、第１パイル部３１ｐの糸の集合体は第２パイル部３２ｐの糸の集合体よりも太くなっており、複数の第１パイル部３１ｐの配置間隔は複数の第２パイル部３２ｐの配置間隔よりも広くなっている。これにより、複数の第１パイル部３１ｐにおける柔らかい糸の集合体と、複数の第２パイル部３２ｐにおける柔らかい糸の集合体とは互いに引っ掛かって絡み合っている。
【００４１】
よって、第１接合部材３１及び第２接合部材３２は、凹凸を有しない面的な面接合であるにもかかわらず、肌触りが良好であると共に、面内方向（接合部材３１，３２が互いにずれる方向、又は水平方向）への強固な接合を実現させることが可能である。
【００４２】
一方、第１接合部材３１及び第２接合部材３２は、面外方向（接合部材３１，３２が互いに接近若しくは離間する方向、又は鉛直方向）には容易に取り外すことができる。更に、第１接合部材３１及び第２接合部材３２は、所謂面ファスナーと比較して、柔らかく且つ汚れが溜まりにくい素材とされている。
【００４３】
続いて、掛け布団本体１０にカバー２０をカバーリングする被覆方法について説明する。まず、図２に示されるように、カバー２０の貼り合わせ面（足側接合部材３２ａ、中央接合部材３２ｂ、頭部側接合部材３２ｃ及び上側接合部材３２ｄが固定された面）に、掛け布団本体１０の下面１０ａを載せる。
【００４４】
足側接合部材３１ａ、中央接合部材３１ｂ及び頭部側接合部材３１ｃのそれぞれに、足側接合部材３２ａ、中央接合部材３２ｂ及び頭部側接合部材３２ｃのそれぞれを貼り付ける。そして、折り返し線Ｌに沿ってカバー２０の上側接合部材３２ｄ側を掛け布団本体１０の上面１０ｂに折り返して、上側接合部材３２ｄを上側接合部材３１ｄに貼り付けることにより、カバーリングが終了する。このように、掛け布団１では、各第２接合部材３２を各第１接合部材３１に貼り付けながらカバー２０の折り返しを行うことにより、カバーリングを短時間で効率よく行うことが可能である。
【００４５】
次に、本実施形態に係る掛け布団１から得られる作用効果について説明する。
【００４６】
図１及び図２に示されるように、掛け布団１は、下面１０ａ、及び下面１０ａの反対側を向く上面１０ｂ、のそれぞれに固定された面状の第１接合部材３１を有する掛け布団本体１０と、下面１０ａの少なくとも一部、及び上面１０ｂの少なくとも一部を覆う布製のカバー２０とを備える。カバー２０には、第１接合部材３１に貼り合わされて接合される面状の第２接合部材３２が固定されている。よって、カバー２０で下面１０ａの少なくとも一部と上面１０ｂの少なくとも一部とを覆った状態で第１接合部材３１に第２接合部材３２を貼り合わせることにより、掛け布団本体１０をカバー２０でカバーリングすることができる。
【００４７】
従って、掛け布団本体１０を貼り合わせによって被覆することができるので、掛け布団本体１０の全体を包む従来のカバーと比較して、カバーリングを容易に行うことができる。すなわち、掛け布団１では、掛け布団本体１０をカバーの中で押し込んだり、掛け布団本体１０の位置及び形状を手で整えたりする作業を行わずにカバーリングを行うことができる。従って、カバーリングを短時間で効率よく行うことができる。
【００４８】
また、従来のカバーは、前述したように掛け布団本体１０の全体を包んでいるので、掛け布団本体１０から取り外す作業が面倒である。従って、掛け布団本体１０からのカバーの取り外しが面倒であるがゆえに、カバーの洗濯が長期間行われずカバーの清潔さが維持されなくなる問題がある。
【００４９】
しかしながら、本実施形態の掛け布団１では、カバー２０が接合部材３１，３２の貼り合わせによって掛け布団本体１０を覆っているので、接合部材３１，３２を剥がすだけで掛け布団本体１０からのカバー２０の取り外しを容易に行うことができる。よって、掛け布団本体１０からカバー２０を外してカバー２０の洗濯を容易に行うことができるので、カバー２０の清潔さを確実に維持することができる。
【００５０】
また、病院又はホテル等の施設では、一度に大量のカバーを洗濯する必要があるが、掛け布団１では、カバー２０の数が多い場合であってもカバー２０を短時間で効率よく外すことができるので、大量のカバー２０の洗濯を容易に行うことができる。このように、掛け布団１は、病院又はホテル等の施設でも好適に用いることができるので、汎用性が高い寝具とされている。
【００５１】
また、掛け布団１では、第１接合部材３１に第２接合部材３２を貼り合わせて掛け布団本体１０のカバーリングを行うので、ファスナー、ボタン及び紐を不要とすることができる。従って、ファスナー、ボタン又は紐が使用者の身体に当たるのを回避することができるため、使用者に快適な寝心地を提供することができる。
【００５２】
特に、ファスナーを用いた従来のカバーでは、ファスナーが布地に引っ掛かって扱いにくいという問題があると共に、ファスナーが壊れるとカバー全体を破棄しなければならないという問題がある。更に、ファスナーが金属製である場合には、カバーを針検知用の金属探知機に通すことができないという問題がある。
【００５３】
ファスナーが樹脂製である場合には、ファスナーの取っ手部分等の強度が弱いため、折れやすいといった問題もある。このように、ファスナーを用いたカバーでは、様々な問題がある。しかしながら、カバー２０では、ファスナーを不要とすることができるので、上記の様々な問題を全て回避することができる。
【００５４】
また、１枚のカバー２０が、下面１０ａを覆うと共に、下面１０ａの端部の折り返し線Ｌで折り返されて上面１０ｂの一部を覆っている。よって、１枚のカバー２０で掛け布団本体１０の両面を覆うことができる。従って、１枚のカバー２０で掛け布団本体１０のカバーリングを容易に行うことができる。
【００５５】
また、カバー２０で覆われる下面１０ａの面積は、カバー２０で覆われる上面１０ｂの面積と異なっている。従って、使用者は、掛け布団１の天地を容易に把握することができる。更に、カバー２０は上面１０ｂの一部を覆っているので、上面１０ｂの残部を覆わずに露出させることにより、デザイン性を高めた上面１０ｂを使用者に見せることができる。
【００５６】
また、第１接合部材３１は、第１接合部材３１の厚さ方向に突出する複数の第１パイル部３１ｐを有し、第２接合部材３２は、第２接合部材３２の厚さ方向に突出する複数の第２パイル部３２ｐを有し、第１パイル部３１ｐの配置間隔と第２パイル部３２ｐの配置間隔とは互いに異なっており、第２接合部材３２は、複数の第２パイル部３２ｐが複数の第１パイル部３１ｐに引っ掛かって絡まることにより、第１接合部材３１に面接合する。
【００５７】
よって、複数の第２パイル部３２ｐと複数の第１パイル部３１ｐとが互いに引っ掛かって絡まることによって第２接合部材３２が第１接合部材３１に面接合するので、第１接合部材３１への第２接合部材３２の接合を容易且つ強固に行うことができる。従って、掛け布団本体１０に対するカバー２０のずれを一層確実に抑制することができるので、更なる寝心地の向上に寄与する。
【００５８】
（第２実施形態）
次に、第２実施形態に係る掛け布団について図５（ａ）及び図５（ｂ）を参照しながら説明する。第２実施形態に係る掛け布団は、掛け布団本体５０、及び２枚のカバー６０を備える。以降の説明では、第１実施形態と重複する説明を適宜省略する。図５（ａ）は掛け布団本体５０を示す平面図であり、図５（ｂ）は掛け布団本体５０に対するカバー６０の貼り合わせ面を示す平面図である。
【００５９】
掛け布団本体５０の外形は、例えば、第１実施形態の掛け布団本体１０と同様である。掛け布団本体５０は、足側接合部材３１ａ、中央接合部材３１ｂ、頭部側接合部材３１ｃ及び上側接合部材３１ｄを備える。足側接合部材３１ａ、中央接合部材３１ｂ、頭部側接合部材３１ｃ及び上側接合部材３１ｄは、掛け布団本体５０の下面１０ａ及び上面１０ｂの両方に設けられる。
【００６０】
なお、掛け布団本体５０は、掛け布団本体１０と完全に同一であってもよい。カバー６０の長手方向の長さは、掛け布団本体５０の長手方向の長さと同程度である。カバー６０は、カバー２０と同様、足側接合部材３２ａ、中央接合部材３２ｂ及び頭部側接合部材３２ｃを備える。また、カバー６０は、上側接合部材３２ｄを有しない。
【００６１】
掛け布団本体５０に２枚のカバー６０をカバーリングする被覆方法については、まず、掛け布団本体５０の下面１０ａに固定された足側接合部材３１ａ、中央接合部材３１ｂ及び頭部側接合部材３１ｃのそれぞれに、一のカバー６０に固定された足側接合部材３２ａ、中央接合部材３２ｂ及び頭部側接合部材３２ｃを貼り付ける。
【００６２】
そして、掛け布団本体５０の上面１０ｂに固定された足側接合部材３１ａ、中央接合部材３１ｂ及び頭部側接合部材３１ｃのそれぞれに、他のカバー６０に固定された足側接合部材３２ａ、中央接合部材３２ｂ及び頭部側接合部材３２ｃを貼り付けることにより、カバーリングが終了する。なお、カバー６０でカバーリングする場合、上側接合部材３１ｄを省略することが可能であるが、上側接合部材３１ｄを備える場合には、第１実施形態のカバー２０で掛け布団本体５０をカバーリングすることが可能となる。
【００６３】
第２実施形態の掛け布団では、カバー６０の各第２接合部材３２を掛け布団本体５０の各第１接合部材３１に貼り付けて、２枚のカバー６０が掛け布団本体５０の下面１０ａ及び上面１０ｂのそれぞれに貼り付けられる。従って、カバーリングを短時間で効率よく行うことができる。
【００６４】
以上のように、第２実施形態に係る掛け布団は、２枚のカバー６０を備え、一のカバー６０が下面１０ａを覆うと共に、他のカバー６０が上面１０ｂを覆っている。従って、２枚のカバー６０によって掛け布団本体５０の両面を覆うことができる。また、各第１接合部材３１に各第２接合部材３２を接合させることにより、掛け布団本体５０に対するカバー６０の貼り付けを行うことができる。従って、掛け布団本体５０の両面にカバー６０を接合させる作業を容易に行うことができる。
【００６５】
また、第２実施形態に係る掛け布団では、接合部材３１，３２を剥がすことによって各カバー６０が掛け布団本体５０から取り外されるので、カバー６０の取り外しを容易に行うことができる。従って、例えば大量のカバー６０を容易に洗濯することができるので、第１実施形態と同様の効果が得られる。更に、第２実施形態に係る掛け布団では、一のカバー６０が掛け布団本体５０の下面１０ａ全体を覆うと共に、他のカバー６０が掛け布団本体５０の上面１０ｂ全体を覆う。従って、掛け布団本体５０の汚れを一層確実に防止することができる。
【００６６】
（第３実施形態）
次に、第３実施形態に係る掛け布団のカバー７０について図６を参照しながら説明する。カバー７０は、例えば、前述した掛け布団本体１０をロールアップ式で被覆する。なお、カバー７０は、掛け布団本体１０の上面１０ｂ全体を被覆してもよいし、掛け布団本体１０の下面１０ａ全体を被覆してもよい。また、カバー７０は、掛け布団本体５０を被覆してもよい。
【００６７】
図６に示されるように、カバー７０は、長方形状を成している。カバー７０の長手方向の一端及び他端には、折り返し部７１が設けられる。折り返し部７１は、カバー７０の幅方向に延びる長方形状とされており、折り返し部７１の幅は、例えば、５ｃｍ以上且つ２５ｃｍ以下である。
【００６８】
折り返し部７１は、掛け布団本体１０の端部で折り返される部位であり、カバー７０の折り返し部７１以外の部分が掛け布団本体１０の上面１０ｂ全体又は下面１０ａ全体を被覆する。従って、カバー７０の長手方向の寸法は、掛け布団本体１０の長手方向の寸法よりも、２つの折り返し部７１の幅の分だけ長くなっている。
【００６９】
カバー７０の裏面（掛け布団本体１０に接触する面）には、例えば、７つの第２接合部材３２が固定されている。一例として、２つの第２接合部材３２は、カバー７０の長辺上であって且つカバー７０の長手方向の中央に直角三角形状に配置されている。また、各折り返し部７１の一端及び他端のそれぞれ（カバー７０の四隅）には、掛け布団本体１０に貼り付けられる直角三角形状の第２接合部材３２が固定されている。
【００７０】
２つの折り返し部７１のうちの一方には、カバー７０の幅方向中央に長方形状の第２接合部材３２が固定されている。この長方形状の第２接合部材３２は、例えば、カバー７０の足側に設けられるが、カバー７０の頭側に設けられてもよい。この長方形状の第２接合部材３２が設けられることによって、カバー７０の足側及び頭側を識別することが可能である。
【００７１】
以上、第３実施形態に係るカバー７０は、掛け布団本体１０の上面１０ｂ及び下面１０ａの少なくとも一部を覆う。従って、カバー７０の各第２接合部材３２を掛け布団本体１０の各第１接合部材３１に貼り合わせることにより、１枚のカバー７０によって掛け布団本体１０のカバーリングを行うことができる。従って、第１実施形態及び第２実施形態と同様の効果が得られる。
【００７２】
（第４実施形態）
続いて、第４実施形態に係る掛け布団本体８０及びカバー９０について図７（ａ）及び図７（ｂ）を参照しながら説明する。カバー９０は、例えば、包布式で掛け布団本体８０を被覆する。掛け布団本体８０は、長方形状を呈する。掛け布団本体８０には、例えば、６つの第１接合部材３１が固定されている。具体的には、掛け布団本体８０の四隅のそれぞれに直角三角形状の第１接合部材３１が固定されており、掛け布団本体８０の各長辺の中央に直角三角形状の第１接合部材３１が固定されている。
【００７３】
カバー９０は、掛け布団本体８０の全体を被覆する被覆部材であり、掛け布団本体８０を収容するための開口９１を有する。カバー９０は長方形状を成している。開口９１は、例えば、カバー９０の一方の長辺及び一方の短辺に延びており、掛け布団本体８０を収容しやすいように、Ｌ字状の平面形状を有する。なお、開口９１には、開口９１を開閉するファスナー等が設けられていてもよい。
【００７４】
カバー９０における開口９１の内側部分には、第２接合部材３２が固定されている。カバー９０の内面に、例えば、６つの第２接合部材３２が固定されている。具体的には、カバー９０の各長辺の中央に第２接合部材３２が固定されており、更に、カバー９０の四隅のそれぞれに第２接合部材３２が固定されている。各第２接合部材３２の平面位置は、掛け布団本体８０の各第１接合部材３１の平面位置に対応している。一例として、カバー９０に固定された第２接合部材３２の形状は直角三角形状である。
【００７５】
第４実施形態に係る掛け布団本体８０及びカバー９０では、カバー９０の開口９１を開いて掛け布団本体８０をカバー９０の中に挿入する必要がある。しかしながら、第４実施形態では、カバー９０の各第２接合部材３２に掛け布団本体８０の各第１接合部材３１を貼り合わせることにより、カバーリング時における掛け布団本体８０の位置ずれを抑制できる。従って、接合部材３１，３２が無い場合と比較してカバーリングを容易に行うことができる。
【００７６】
すなわち、カバー９０の各第２接合部材３２に各第１接合部材３１を固定させながら掛け布団本体８０のカバーリングを行うことができるので、従来よりもカバーリングの時間を短縮することができる。更に、第４実施形態では、カバー９０が掛け布団本体８０の全面を覆うので、掛け布団本体８０への汚れの付着を一層確実に防止できる。
【００７７】
以上、本発明に係る寝具の実施形態について説明したが、本発明は、前述した実施形態に限定されることなく、特許請求の範囲に記載した要旨を変更しない範囲で適宜変更可能である。
【００７８】
例えば、前述の実施形態では、図１及び図２に示されるように、折り返し線Ｌに沿って第２接合部材３２（頭部側接合部材３２ｃ）が設けられる例について説明した。しかしながら、第２接合部材３２の位置が折り返し線Ｌから離間すると共に、第１接合部材３１（頭部側接合部材３１ｃ）の位置が掛け布団本体１０の長手方向の端部から離間していてもよい。この場合、掛け布団本体１０の長手方向の端部でカバー２０を折り返したときに、当該端部に接合部材３１，３２が位置しないので、使用者の襟元に接合部材３１，３２が当たらないようにすることができる。従って、使用者の睡眠を一層快適にすることができる。また、頭部側接合部材３１ｃ，３２ｃの全部又は一部を省略しても同様の効果が得られる。
【００７９】
また、前述の実施形態では、足側接合部材３１ａ，３２ａ、中央接合部材３１ｂ，３２ｂ、頭部側接合部材３１ｃ，３２ｃ及び上側接合部材３１ｄ，３２ｄを備える接合部材３１，３２について説明した。しかしながら、足側接合部材３１ａ，３２ａ、中央接合部材３１ｂ，３２ｂ、頭部側接合部材３１ｃ，３２ｃ及び上側接合部材３１ｄ，３２ｄのいずれかを省略してもよい。
【００８０】
例えば、前述の実施形態では、第１接合部材３１の第１パイル部３１ｐの配置間隔が第２接合部材３２の第２パイル部３２ｐの配置間隔よりも広く且つ粗くなっている例について説明した。しかしながら、第１パイル部３１ｐの配置間隔が第２パイル部３２ｐの配置間隔よりも狭く且つ細かくなっていてもよい。
【００８１】
また、前述の実施形態では、接合部材３１，３２として、長方形状の足側接合部材３１ａ，３２ａ、中央接合部材３１ｂ，３２ｂ、頭部側接合部材３１ｃ、上側接合部材３１ｄ，３２ｄ、中央側接合部材３２ｆ及び三角形状の端部側接合部材３２ｅについて説明した。しかしながら、接合部材３１，３２の形状は、円形状、長円形状、曲線形状、又は波形形状等であってもよく、適宜変更可能である。また、接合部材３１，３２の大きさ、数、位置、及び配置態様についても適宜変更可能である。
【００８２】
また、前述の実施形態では、柔らかい糸の集合体から成るパイル部３１ｐ，３２ｐを備えた接合部材３１，３２について説明した。しかしながら、接合部材の材料は上記に限定されず適宜変更可能である。例えば、接合部材は、面ファスナーであってもよい。
【００８３】
また、前述の各実施形態では、寝具が掛け布団である例について説明した。しかしながら、本発明に係る寝具は、敷き布団、枕、座布団又はクッション等、掛け布団以外の寝具であってもよい。
【００８４】
例えば、本発明に係る寝具は、敷き布団本体（寝具本体）及びシーツ（被覆部材）を備えた敷き布団であってもよい。このように、寝具が敷き布団である場合でも、前述の各実施形態と同様の効果が得られる。
【００８５】
例えば、本発明に係る寝具は、枕用芯材（寝具本体）及び枕カバー（被覆部材）を備えた枕であってもよい。この場合も前述の各実施形態と同様の効果が得られる。
【００８６】
また、従来の枕は、枕用芯材に綿又はパイプ等の内容物が充填されるため、多くのファスナー、ボタン又は紐を備えることが多い。これに対し、本発明に係る寝具が枕である場合には、ファスナー、ボタン及び紐を全て接合部材３１，３２に置き換えることができるため、ファスナー、ボタン及び紐を不要とすることができる。従って、使用者にファスナー、ボタン又は紐が当たるのを回避することができるので、枕の使用者の寝心地を快適にすることができる。また、ファスナー、ボタン又は紐を取り付ける手間及びコストを大幅に抑えることができる。
【符号の説明】
【００８７】
１…掛け布団（寝具）、１０，５０，８０…掛け布団本体（寝具本体）、１０ａ…下面（第１面）、１０ｂ…上面（第２面）、１１…内容物、１２…布部、２０，６０，７０，９０…カバー（被覆部材）、３１…第１接合部材、３１ａ，３２ａ…足側接合部材、３１ｂ，３２ｂ…中央接合部材、３１ｃ，３２ｃ…頭部側接合部材、３１ｄ，３２ｄ…上側接合部材、３１ｐ…第１パイル部、３２…第２接合部材、３２ｅ…端部側接合部材、３２ｆ…中央側接合部材、３２ｐ…第２パイル部、７１…折り返し部、９１…開口、Ｌ…折り返し線、Ｓ…内部空間。
【図１】
2018187072.tif 000003
【図２】
2018187072.tif 000004
【図３】
2018187072.tif 000005
【図４】
2018187072.tif 000006
【図５】
2018187072.tif 000007
【図６】
2018187072.tif 000008
【図７】
2018187072.tif 000009